【事件の表示】
　特願２００３−４２５５５６「情報通信端末、情報配信サーバ、情報伝送システム及び情報伝送プログラム」拒絶査定不服審判事件〔平成１７年　７月　７日出願公開、特開２００５−１８２６４９〕について、次のとおり審決する。
【結　論】
　本件審判の請求は、成り立たない。
【理　由】
１．手続の経緯
　本願は平成１５年１２月２２日に出願がなされ、平成１７年４月７日付けで拒絶理由通知が起案され、これに対し、同年６月１３日付けで意見書及び手続補正書が提出され、同年７月１９日付けで拒絶査定がされ、これに対し、同年８月２５日に拒絶査定不服審判が請求されるとともに、同年９月２６日付けで手続補正がなされたものである。
　
２．平成１７年９月２６日付けの手続補正についての補正却下の決定
　［補正却下の決定の結論］
　　平成１７年９月２６日付けの手続補正を却下する。
　
　［理由］
（１）　本件補正の内容
　平成１７年９月２６日付けの手続補正（以下「本件補正」と記す）は、特許請求の範囲について、補正前に
「　【請求項１】
　他の装置に読み取らせるための流通コードデータ及び該流通コードデータと関連する絵文字データを記憶する絵文字付流通コード記憶装置と、
　前記絵文字付流通コード記憶装置内より取得した前記流通コードデータ及び前記絵文字データを基に少なくとも２つ以上の流通コード及び少なくとも１つ以上の絵文字を備える絵文字付流通コードを生成する絵文字付流通コード生成手段と、
　生成された前記絵文字付流通コードを表示する表示装置と、
　前記絵文字付流通コードを前記他の装置が読み取り可能に設定された時間間隔及び設定された表示順序において連続的に切り替え、前記表示装置上の固定位置に表示するよう制御する切り替え表示制御手段
　とを備えることを特徴とする情報通信端末。
　　【請求項２】
　前記切り替え表示制御手段は、前記絵文字付流通コードが前記設定された表示順序にて一巡して表示された後に一巡表示したことを示す識別子データを表示し、この表示後再び前記絵文字付流通コードを連続的に切り替え表示するよう制御することを特徴とする請求項１に記載の情報通信端末。
　　【請求項３】
　前記絵文字付流通コード生成手段は、前記流通コードの枚数情報をヘッダ情報に含む枚数データと、各々の流通コードを表示する前記順序の情報をヘッダ情報に含む画像データを生成し、
　前記切り替え表示制御手段は、前記枚数データ、前記枚数データの前記ヘッダ情報内の枚数分の前記流通コード及び前記絵文字を前記順序を基にして連続切り替え表示するよう制御することを特徴とする請求項１に記載の情報通信端末。
　　【請求項４】
　流通コードを表示する情報通信端末と前記流通コードを読み取るスキャナ装置とを備える情報伝送システムであって、
　前記スキャナ装置に読み取らせるための流通コードデータ及び該流通コードデータと関連する絵文字データを記憶する絵文字付流通コード記憶装置、前記絵文字付流通コード記憶装置内より取得した前記流通コードデータ及び前記絵文字データを基に少なくとも２つ以上の流通コード及び少なくとも１つ以上の絵文字を備える絵文字付流通コードを生成する絵文字付流通コード生成手段、生成された前記絵文字付流通コードを表示する表示装置、前記絵文字付流通コードを前記他の装置が読み取り可能に設定された時間間隔及び設定された表示順序において連続的に切り替えし、前記表示装置上の固定位置に表示するよう制御する切り替え表示制御手段とを備えることを特徴とする情報通信端末と、
　前記固定位置にて連続切り替え表示される前記絵文字付流通コードの前記流通コードより受光する流通コード情報を読み取る流通コード読み取り手段、読み取った前記流通コード情報を、有線若しくは無線の通信媒体を介して外部に送信可能となるよう解析する解析手段とを備えるスキャナ装置
　と備えることを特徴とする情報伝送システム。
　　【請求項５】
　表示した流通コードをスキャナ装置に読み取らせることで情報を伝送する情報通信端末に対し通信網を介してデータを配信する情報配信サーバであって、
　前記データを記憶する配信データ記憶装置と、
　前記配信データ記憶装置内より取得した前記データより、連続的に切り替え表示するよう設定される少なくとも２つ以上の流通コード及び該流通コードに関連する少なくとも１つ以上の絵文字を生成する基となる流通コードデータ及び絵文字データを作成する配信データ作成手段と、
　前記スキャナ装置が読み取り可能に設定された時間間隔及び設定された表示順序において連続切り替え表示するよう設定された前記流通コードデータ及び前記絵文字データを前記情報通信端末に配信する配信データ送信手段
　とを備えることを特徴とする情報配信サーバ。
　　【請求項６】
　外部に配信するためのデータを記憶する配信データ記憶装置、前記配信データ記憶装置内より取得した前記データより、少なくとも２つ以上の流通コードを生成する基となる流通コードデータ及び前記流通コードに関連する少なくとも１つ以上の絵文字を生成する基となる絵文字データを作成する配信データ作成手段を備える情報配信サーバと、
　前記情報配信サーバより受信した前記流通コードデータ及び前記絵文字データを基に前記流通コード及び前記絵文字を備える絵文字付流通コードを生成する絵文字付流通コード生成手段、生成された前記絵文字付流通コードを表示する表示装置、前記絵文字付流通コードを前記他の装置が読み取り可能に設定された時間間隔及び設定された表示順序において連続的に切り替えし、前記表示装置上の固定位置に表示するよう制御する切り替え表示制御手段とを備える情報通信端末と、
　前記固定位置にて連続切り替え表示される前記絵文字付流通コードの前記流通コードより受光する流通コード情報を読み取る流通コード読み取り手段、読み取った前記流通コード情報を、有線若しくは無線の通信媒体を介して外部に送信可能となるよう解析する解析手段とを備えるスキャナ装置
　とを有することを特徴とする情報伝送システム。
　　【請求項７】
　流通コードを表示する情報通信端末と前記流通コードを読み取るスキャナ装置と前記流通コードの情報を処理する情報処理装置を備える情報伝送システムであって、
　前記スキャナ装置に情報を伝送するための流通コードデータ及び前記流通コードデータに関連する絵文字データを記憶する絵文字付流通コード記憶装置、前記絵文字付流通コード記憶装置内より取得した前記流通コードデータ及び前記絵文字データを基に少なくとも２つ以上の流通コード及び少なくとも１つ以上の絵文字を備える絵文字付流通コードを生成する絵文字付流通コード生成手段、生成された前記絵文字付流通コードを表示する表示装置、前記絵文字付流通コードを前記他の装置が読み取り可能に設定された時間間隔及び設定された表示順序において連続的に切り替えし、前記表示装置上の固定位置に表示するよう制御する切り替え表示制御手段とを備える情報通信端末と、
　前記固定位置にて連続切り替え表示される前記絵文字付流通コードの前記流通コードより受光する流通コード情報を読み取る流通コード読み取り手段、読み取った前記流通コード情報を、有線若しくは無線の通信媒体を介して前記情報処理装置に送信するデータ送信手段とを備えるスキャナ装置と、
　受信した前記流通コード情報が保持する情報を解析するデータ解析手段、解析された流通コード情報を格納する記憶装置とを備える情報処理装置
　とを有することを特徴とする情報伝送システム。
　　【請求項８】
　外部に配信するためのデータを記憶する配信データ記憶装置、前記配信データ記憶装置内より取得した前記データより、少なくとも２つ以上の流通コードを生成する基となる流通コードデータ及び前記流通コードに関連する少なくとも１つ以上の絵文字を生成する基となる絵文字データを作成する配信データ作成手段を備える情報配信サーバと、
　前記情報配信サーバより受信した前記流通コードデータ及び前記絵文字データを基に前記流通コード及び前記絵文字を備える絵文字付流通コードを生成する絵文字付流通コード生成手段、生成された前記絵文字付流通コードを表示する表示装置、前記絵文字付流通コードを前記他の装置が読み取り可能に設定された時間間隔及び設定された表示順序において連続的に切り替えし、前記表示装置上の固定位置に表示するよう制御する切り替え表示制御手段とを備える情報通信端末と、
　前記固定位置に連続切り替え表示される前記絵文字付流通コードの前記流通コードより受光する流通コード情報を読み取る流通コード読み取り手段、読み取った前記流通コード情報を有線若しくは無線の通信媒体を介して送信するデータ送信手段とを備えるスキャナ装置と、
　受信した前記流通コード情報が保持する情報を解析するデータ解析手段、解析された流通コード情報を格納する記憶装置とを備える情報処理装置
　とを有することを特徴とする情報伝送システム。
　　【請求項９】
　流通コード画像を表示するコンピュータに、
　他の装置に読み取らせるための流通コードデータ及び該流通コードデータと関連する絵文字データを絵文字付流通コード記憶装置に格納させる命令と、
　前記絵文字付流通コード記憶装置内より取得した前記流通コードデータ及び前記絵文字データを基に少なくとも２つ以上の流通コード及び少なくとも１つ以上の絵文字を備える絵文字付流通コードを生成させる命令と、
　生成された前記絵文字付流通コードを表示装置に表示させる命令と、
　前記絵文字付流通コードを前記他の装置が読み取り可能に設定された時間間隔及び設定された表示順序において連続的に切り替えして前記表示装置上の固定位置に表示させる命令
　とを備えることを特徴とする情報伝送プログラム。」
とあったものを、
「　【請求項１】
　他の装置に読み取らせるための流通コードデータ及び該流通コードデータと関連する絵文字データを記憶する絵文字付流通コード記憶装置と、
　前記絵文字付流通コード記憶装置内より取得した前記流通コードデータ及び該流通コードデータと関連する前記絵文字データを基に少なくとも２つ以上の流通コード及び少なくとも１つ以上の絵文字を備える絵文字付流通コードを生成する絵文字付流通コード生成手段と、
　生成された前記絵文字付流通コードを表示する表示装置と、
　前記絵文字付流通コードを前記他の装置が読み取り可能に設定された時間間隔及び設定された表示順序において連続的に切り替え、前記表示装置上の固定位置に表示するよう制御する切り替え表示制御手段と
　を備えることを特徴とする情報通信端末。
　　【請求項２】
　前記切り替え表示制御手段は、前記絵文字付流通コードが前記設定された表示順序にて一巡して表示された後に一巡表示したことを示す識別子データを表示し、この表示後再び前記絵文字付流通コードを連続的に切り替え表示するよう制御することを特徴とする請求項１に記載の情報通信端末。
　　【請求項３】
　前記絵文字付流通コード生成手段は、前記流通コードの枚数情報をヘッダ情報に含む枚数データと、各々の流通コードを表示する前記順序の情報をヘッダ情報に含む画像データを生成し、
　前記切り替え表示制御手段は、前記枚数データ、前記枚数データの前記ヘッダ情報内の枚数分の前記流通コード及び前記絵文字を前記順序を基にして連続切り替え表示するよう制御することを特徴とする請求項１に記載の情報通信端末。
　　【請求項４】
　流通コードを表示する情報通信端末と前記流通コードを読み取るスキャナ装置とを備える情報伝送システムであって、
　前記スキャナ装置に読み取らせるための流通コードデータ及び該流通コードデータと関連する絵文字データを記憶する絵文字付流通コード記憶装置、前記絵文字付流通コード記憶装置内より取得した前記流通コードデータ及び該流通コードデータと関連する前記絵文字データを基に少なくとも２つ以上の流通コード及び少なくとも１つ以上の絵文字を備える絵文字付流通コードを生成する絵文字付流通コード生成手段、生成された前記絵文字付流通コードを表示する表示装置、前記絵文字付流通コードを前記他の装置が読み取り可能に設定された時間間隔及び設定された表示順序において連続的に切り替えし、前記表示装置上の固定位置に表示するよう制御する切り替え表示制御手段とを備えることを特徴とする情報通信端末と、
　前記固定位置にて連続切り替え表示される前記絵文字付流通コードの前記流通コードより受光する流通コード情報を読み取る流通コード読み取り手段、読み取った前記流通コード情報を、有線若しくは無線の通信媒体を介して外部に送信可能となるよう解析する解析手段とを備えるスキャナ装置と
　を備えることを特徴とする情報伝送システム。
　　【請求項５】
　表示した流通コードをスキャナ装置に読み取らせることで情報を伝送する情報通信端末に対し通信網を介してデータを配信する情報配信サーバであって、
　前記データを記憶する配信データ記憶装置と、
　前記配信データ記憶装置内より取得した前記データより、連続的に切り替え表示するよう設定される少なくとも２つ以上の流通コード及び該流通コードに関連する少なくとも１つ以上の絵文字を生成する基となる流通コードデータ及び絵文字データを作成する配信データ作成手段と、
　前記スキャナ装置が読み取り可能に設定された時間間隔及び設定された表示順序において連続切り替え表示するよう設定された前記流通コードデータ及び前記絵文字データを前記情報通信端末に配信する配信データ送信手段と
　を備えることを特徴とする情報配信サーバ。
　　【請求項６】
　外部に配信するためのデータを記憶する配信データ記憶装置、前記配信データ記憶装置内より取得した前記データより、少なくとも２つ以上の流通コードを生成する基となる流通コードデータ及び前記流通コードに関連する少なくとも１つ以上の絵文字を生成する基となる絵文字データを作成する配信データ作成手段を備える情報配信サーバと、
　前記情報配信サーバより受信した前記流通コードデータ及び該流通コードデータと関連する前記絵文字データを基に前記流通コード及び前記絵文字を備える絵文字付流通コードを生成する絵文字付流通コード生成手段、生成された前記絵文字付流通コードを表示する表示装置、前記絵文字付流通コードを前記他の装置が読み取り可能に設定された時間間隔及び設定された表示順序において連続的に切り替えし、前記表示装置上の固定位置に表示するよう制御する切り替え表示制御手段とを備える情報通信端末と、
　前記固定位置にて連続切り替え表示される前記絵文字付流通コードの前記流通コードより受光する流通コード情報を読み取る流通コード読み取り手段、読み取った前記流通コード情報を、有線若しくは無線の通信媒体を介して外部に送信可能となるよう解析する解析手段とを備えるスキャナ装置と
　を有することを特徴とする情報伝送システム。
　　【請求項７】
　流通コードを表示する情報通信端末と前記流通コードを読み取るスキャナ装置と前記流通コードの情報を処理する情報処理装置を備える情報伝送システムであって、
　前記スキャナ装置に情報を伝送するための流通コードデータ及び前記流通コードデータに関連する絵文字データを記憶する絵文字付流通コード記憶装置、前記絵文字付流通コード記憶装置内より取得した前記流通コードデータ及び該流通コードデータと関連する前記絵文字データを基に少なくとも２つ以上の流通コード及び少なくとも１つ以上の絵文字を備える絵文字付流通コードを生成する絵文字付流通コード生成手段、生成された前記絵文字付流通コードを表示する表示装置、前記絵文字付流通コードを前記他の装置が読み取り可能に設定された時間間隔及び設定された表示順序において連続的に切り替えし、前記表示装置上の固定位置に表示するよう制御する切り替え表示制御手段とを備える情報通信端末と、
　前記固定位置にて連続切り替え表示される前記絵文字付流通コードの前記流通コードより受光する流通コード情報を読み取る流通コード読み取り手段、読み取った前記流通コード情報を、有線若しくは無線の通信媒体を介して前記情報処理装置に送信するデータ送信手段とを備えるスキャナ装置と、
　受信した前記流通コード情報が保持する情報を解析するデータ解析手段、解析された流通コード情報を格納する記憶装置とを備える情報処理装置と
　を有することを特徴とする情報伝送システム。
　　【請求項８】
　外部に配信するためのデータを記憶する配信データ記憶装置、前記配信データ記憶装置内より取得した前記データより、少なくとも２つ以上の流通コードを生成する基となる流通コードデータ及び前記流通コードに関連する少なくとも１つ以上の絵文字を生成する基となる絵文字データを作成する配信データ作成手段を備える情報配信サーバと、
　前記情報配信サーバより受信した前記流通コードデータ及び該流通コードデータと関連する前記絵文字データを基に前記流通コード及び前記絵文字を備える絵文字付流通コードを生成する絵文字付流通コード生成手段、生成された前記絵文字付流通コードを表示する表示装置、前記絵文字付流通コードを前記他の装置が読み取り可能に設定された時間間隔及び設定された表示順序において連続的に切り替えし、前記表示装置上の固定位置に表示するよう制御する切り替え表示制御手段とを備える情報通信端末と、
　前記固定位置に連続切り替え表示される前記絵文字付流通コードの前記流通コードより受光する流通コード情報を読み取る流通コード読み取り手段、読み取った前記流通コード情報を有線若しくは無線の通信媒体を介して送信するデータ送信手段とを備えるスキャナ装置と、
　受信した前記流通コード情報が保持する情報を解析するデータ解析手段、解析された流通コード情報を格納する記憶装置とを備える情報処理装置と
　を有することを特徴とする情報伝送システム。
　　【請求項９】
　流通コード画像を表示するコンピュータに、
　他の装置に読み取らせるための流通コードデータ及び該流通コードデータと関連する絵文字データを絵文字付流通コード記憶装置に格納させる命令と、
　前記絵文字付流通コード記憶装置内より取得した前記流通コードデータ及び該流通コードデータと関連する前記絵文字データを基に少なくとも２つ以上の流通コード及び少なくとも１つ以上の絵文字を備える絵文字付流通コードを生成させる命令と、
　生成された前記絵文字付流通コードを表示装置に表示させる命令と、
　前記絵文字付流通コードを前記他の装置が読み取り可能に設定された時間間隔及び設定された表示順序において連続的に切り替えして前記表示装置上の固定位置に表示させる命令と
　を備えることを特徴とする情報伝送プログラム。」
と補正（すなわち、請求項１、４、６、７、８、９における「絵文字データ」を「該流通コードデータと関連する絵文字データ」と補正）するとともに、これに合わせて、明細書の【課題を解決するための手段】の欄を補正しようとするものである。
　
（２）　本件補正の目的
　上記補正は、請求項１〜３、４、６、７、８、９に記載した発明を特定するために必要な事項である「絵文字データ」に「該流通コードデータと関連する」との限定を付加するものであって、特許法第１７条の２第４項第２号の特許請求の範囲の減縮を目的とするものに該当する。
　
（３）　本件補正の独立特許要件
　そこで、本件補正後における特許請求の範囲に記載されている事項により特定される発明が特許出願の際独立して特許を受けることができるものであるか（特許法第１７条の２第５項において準用する同法第１２６条第５項の規定に適合するか）否かを、請求項１に係る発明について以下に検討する。
　
（３−１）本件補正発明
　本件補正後の請求項１に係る発明（以下、「本件補正発明」という。）は、上記（１）において、本件補正後の【請求項１】として記載した通りのものである。
　
（３−２）引用例
＜引用文献１＞
　原査定の拒絶の理由に引用された国際公開第０３／９１９４４号パンフレット（以下、「引用文献１」という。）には、図面と共に以下の事項が記載されている。
・「バーコード表示装置で、バーコードの画像を記憶した記憶手段と、連続して少なくとも２以上のバーコードを表示する表示手段と、前記表示手段の制御を行う制御手段とを設けて構成し、少なくとも２以上のバーコードを連続して表示を行うことを特徴とした動的なバーコード表示装置。」（請求の範囲１．）
・「表示装置１０は、記憶手段１０１、入力手段１０２、制御手段１０３、通信手段１０４、表示手段１０５で構成されている。その他に記憶媒体１１が設けられている。表示装置１０自体の形状は、どのような形状に設けられていてもかまわないが、表示手段１０５は、平面であることが望ましい。また実施の例では、プログラムが実行可能な携帯電話機を使用している。」（第１５頁第１行〜第６行）
・「記憶手段１０１は、ＲＡＭ及びＲＯＭで構成され、ＲＡＭは、指定されたアプリケーションプログラム、入力指示、入力情報及び処理結果等を一時的に記憶するものである。」（第１５頁第７行〜第９行）
・「制御手段１０３は、入力手段１０２を介して入力される指示に基づいて記憶手段１０１又は記憶媒体１１から所定のプログラムを読み出して、当該プログラムに基づく各種処理を実行して、表示装置１０の各部の集中制御を行うようになっている。制御手段１０３は、読み出した所定プログラムに基づいて各種処理を実行し、その処理結果を記憶手段１０１内に格納すると共に、表示手段１０５に表示を行うようになっている。」（第１５頁第２０行〜第２５行）
・「生成手段１０６は、通信手段１０４・入力手段１０２・記憶手段１０１などから得られる数値情報や、現在時刻、個人情報などに基づいてバーコードの生成を行うようになっている。また、数値情報以外に、外部データベースからの直接送られたバーコード画像情報を動画画像への変換などを行うようになっている。」（第１５頁第２６行〜第１６頁第４行）
・「通信手段１０４は、外部データベース３０と情報の送受信を行うようになっている。通信方法として、電話回線や接続ケーブルなどを用いた有線による通信、赤外線や光による光通信・電波による無線通信など、情報の送受信が行うことが可能であればどの手段を用いてもかまわない。」（第１６頁第５行〜第１６頁第８行）
・「上述のバーコードを複数使用する場合、動的に連続してバーコードの表示を行う際に、常に、バーコードの最初のバーコードから、専用のバーコードスキャナで、認識を始めるとは限らないため、バーコードに順番コードを付加してバーコードの生成を行う。このようにすることによって、どのタイミングにバーコード読み取り装置２０で、読み取りを開始しても、読取ったバーコード情報から再構築し、順番どおりの情報を入手できるようになっている。」（第１８頁第１０行〜第１６行）
・「動的なバーコードの表示の切り替えのタイミングについては、現在よく使われている液晶画面、ＣＲＴ画面では、１／６０秒くらいの周期で画面を書き直している。また、バーコード読み取り装置２０は、１／５０〜１／２００秒くらいの時間でバーコードを読み取り可能となっている。このため表示の切り替えは、両方の時間の最小公倍数にする事が好ましく、１／１０秒程度と考えられる。最大時間は、バーコード読み取り装置２０が同じデータを多重に読み込まないために制約はなくなるが、運用上の問題から制限が生じるため。バーコードの表示周期は、０．１秒〜１．５秒程度が望ましく、本実施例では、バーコードの切り替え時間は、０．８秒周期で切り替えを行っている。
　生成されたバーコードは、表示手段１０５の同じ位置に表示を行うようにすることにより、バーコード読み取り装置２０の読み取り速度を向上させる。バーコード読み取り装置２０は、その機種によって差はあるが、通常１００スキャン／秒程度のスピードで処理され、これについては、バーコードの位置認識の為の時間や、リード時の信頼性を上げるための繰り返しリードなど時間（リード後のデータチェックを施さないため）をロスすることが多い。動的なバーコードにおいては、２つ目のバーコード以降は、バーコードの位置認識においては、同じ位置でバーコード画像が変化するため、この時間がカットされる。また、数個のバーコードを動的に読んだ後に、データチェックを施す為に、リード時にデータチェックの回数を軽減でき、時間短縮を図ることができる。」（第１９頁第１１行〜第２０頁第５行）
　
　＜引用発明＞
　引用文献１の「制御手段１０３は、読み出した所定プログラムに基づいて各種処理を実行し、その処理結果を記憶手段１０１内に格納すると共に、表示手段１０５に表示を行うようになっている。」（引用文献１第１５頁第２３行〜第２５行）、「生成手段１０６は、通信手段１０４・入力手段１０２・記憶手段１０１などから得られる数値情報や、現在時刻、個人情報などに基づいてバーコードの生成を行うようになっている。」（引用文献１第１５頁第２６行〜第１６頁第２行）との記載から見て、引用文献１記載の「記憶手段１０１」は「バーコード読み取り装置に読み取らせるためのバーコードのデータを記憶する記憶手段」であると言える。
　また、引用文献１記載のものにおける「生成手段１０６」は「通信手段１０４・入力手段１０２・記憶手段１０１などから得られる数値情報や、現在時刻、個人情報などに基づいてバーコードの生成を行うようになって」（引用文献１第１５頁第２６行〜第１６頁第２行）おり、表示される「動的なバーコード」は「２以上のバーコード」（引用文献１請求の範囲１）よりなっており、さらに、「バーコードに順番コードを付加してバーコードの生成を行う」（引用文献１第１８頁第１２行〜第１３行）ものであるから、「生成手段１０６」は「前記記憶手段内より取得したバーコードのデータを基に少なくとも２以上のバーコード画像を備える動的なバーコードを生成すると共に、バーコードに順番コードを付加してバーコードの生成を行う生成手段」であり、また、引用文献１記載の「表示手段」は「生成された前記動的なバーコードを表示する表示手段」であると言える。
  さらに、引用文献１の「制御手段１０３は、読み出した所定プログラムに基づいて各種処理を実行し、その処理結果を記憶手段１０１内に格納すると共に、表示手段１０５に表示を行うようになっている。」（引用文献１第１５頁第２３行〜第２５行）、「バーコード読み取り装置２０は、１／５０〜１／２００秒くらいの時間でバーコードを読み取りが可能となっている。」（引用文献１第１９頁第１３行〜第１５行）、「バーコードの表示周期は、０．１秒〜１．５秒程度が望ましく、本実施例では、バーコードの切り替え時間は、０．８秒周期で切り替えを行っている。」（引用文献１第１９頁第１３行〜第２０行）、「生成されたバーコードは、表示手段１０５の同じ位置に表示を行う」（引用文献１第１９頁第２１行〜第２２行）との記載から、引用文献１の「制御手段１０３」は「前記動的なバーコードを前記バーコード読み取り装置が読み取り可能な周期で連続的に切り替え、前記表示手段上の同じ位置に表示するよう制御する制御手段」であると言える。
　そして、引用文献１記載の「表示装置１０」は「記憶手段１０１、入力手段１０２、制御手段１０３、通信手段１０４、表示手段１０５で構成されて」（引用文献１第１５頁第１行〜第２行）おり、「通信手段１０４」は「外部データベース３０と情報の送受信を行うようになっている」（引用文献１第１６頁第５行〜第６行）ものであり、さらに、「表示装置１０」の実施の例として「携帯電話機」（引用文献１第１５頁第５行）が挙げられている。
　してみると、引用文献１には
「バーコード読み取り装置に読み取らせるためのバーコードのデータを記憶する記憶手段と、
　前記記憶手段内より取得したバーコードのデータを基に少なくとも２以上のバーコード画像を備える動的なバーコードを生成すると共に、バーコードに順番コードを付加してバーコードの生成を行う生成手段と、
　生成された前記動的なバーコードを表示する表示手段と、
　前記動的なバーコードを前記バーコード読み取り装置が読み取り可能な周期で連続的に切り替え、前記表示手段上の同じ位置に表示するよう制御する制御手段と
を備える、情報の送受信を行う携帯電話機。」
の発明（以下「引用発明」と記す）が記載されていると認められる。
　
＜引用文献２＞
　また、引用文献１と同じく、原査定の拒絶の理由に引用された特開２００２−６４５９７号公報（以下、「引用例２」という。）には、図面と共に以下の事項が記載されている。
・「携帯電話機（１）にクレジットカード、銀行カード等のデータ、及び暗証番号を格納し、前記格納した暗証番号と決められたボタン操作によって入力した暗証番号とが互いに一致した結果が得られたとき、クレジットカード、銀行カード等の格納したデータを文字（２）、数字（３）、バーコード（４）によってディスプレー（５）に表示したところを特徴とするカード機能付携帯電話機。」（【請求項１】）、
・「図１において、携帯電話機（１）にクレジットカード、銀行カード等のデータ、及び暗証番号を格納し、前記格納された暗証番号と決められたボタン操作によって入力した暗証番号とが互いに一致した結果が得られたとき、クレジットカード、銀行カード等の格納したデータが文字（２）、数字（３）、バーコード（４）によってディスプレー（５）にカードとして表示される。さらに、データがカードとして表示されたディスプレー（５）をＣＤ機、ＡＴＭ機、キャッシャー等に設けられた文字、数字、バーコード読み取り部（図示せず）に近接することにより、データが読み取られ、携帯電話機（１）をカードとして使用することが可能となる。なお、図中、データを文字（２）、数字（３）、バーコード（４）によって同時にディスプレー（５）に表示したが、表示方法を文字（２）と数字（３）、又は文字（２）とバーコード（４）、又はデータの重要部をバーコード（４）のみで表示するのもよい。また、図中、表示したデータの枠は必要により表示、又は非表示とする。」（段落【０００７】）
・「また、携帯電話機（１）の紛失、盗難に備え、カード使用者が本人である旨を第三者が確認するために、デジタル写真で取り入れた顔写真をデータと共に表示することも可能である。」（段落【０００９】）
　
（３−３）対比
＜一致点＞
本件補正発明と引用発明とを比較すると
　引用発明における「バーコード読み取り装置に読み取らせるためのバーコードのデータを記憶する記憶手段」は、本件補正発明における「絵文字付流通コード記憶装置」に対応するものであるところ、引用発明における「バーコード読み取り装置」は「携帯電話機」とは別の装置であるから「他の装置」と言えるものであり、引用発明における「バーコード」は「流通コードデータ」と言えるものであるから、引用発明における「記憶手段」と本件補正発明における「絵文字付流通コード記憶装置」とは「他の装置に読み取らせるための流通コードデータを記憶する流通コード記憶装置」である点で一致する。
　引用発明における「前記記憶手段内より取得したバーコードのデータを基に少なくとも２以上のバーコード画像を備える動的なバーコードを生成すると共に、バーコードに順番コードを付加してバーコードの生成を行う生成手段」は、本件補正発明における「絵文字付流通コード生成手段」に対応するものであり、両者は「流通コード記憶装置内より取得した前記流通コードデータを基に少なくとも２つ以上の流通コードを備えるコードを生成するコード生成手段」である点で一致する。
　引用発明における「生成された前記動的なバーコードを表示する表示手段」は本件補正発明における「表示装置」に対応するものであり、両者は「生成されたコードを表示する表示装置」である点で一致する。
　引用発明における「前記動的なバーコードを前記バーコード読み取り装置が読み取り可能な周期で連続的に切り替え、前記表示手段上の同じ位置に表示するよう制御する制御手段」は、本件補正発明における「表示制御手段」に対応するものであり、両者は「コードを前記他の装置が読み取り可能に設定された時間間隔で連続的に切り替え、前記表示装置上の固定位置に表示するよう制御する切り替え表示制御手段」である点で一致する。
　そして、引用発明の「携帯電話機」は「情報の送受信を行う」端末に他ならないものであるから、本願発明と同様に「情報通信端末」と言えるものである。
　よって、本件補正発明と引用発明とは
「他の装置に読み取らせるための流通コードデータを記憶する流通コード記憶装置と、
　前記流通コード記憶装置内より取得した前記流通コードデータを基に少なくとも２つ以上の流通コードを備えるコードを生成するコード生成手段と、
　生成された前記コードを表示する表示装置と、
　前記コードを前記他の装置が読み取り可能に設定された時間間隔で連続的に切り替え、前記表示装置上の固定位置に表示するよう制御する切り替え表示制御手段と
を備える情報通信端末。」
である点で一致する。
　
＜相違点＞
　しかして、本件補正発明と引用発明との相違は、以下の点にあるものと認められる。
　
　＜相違点１＞
　本件補正発明における「絵文字付流通コード生成手段」が生成する「絵文字付流通コード」は、流通コードに加え「少なくとも１つ以上の絵文字」を備えており、「絵文字付流通コード記憶装置」は、「該流通コードデータと関連する絵文字データ」をも記憶し、「絵文字付流通コード生成手段」はこの「該流通コードデータと関連する絵文字データ」をも取得するものであるのに対し、引用文献１には「絵文字データ」に関する記載は無い点。
　
　＜相違点２＞
　本件補正発明における表示制御手段は絵文字付流通コードを「設定された表示順序において」連続的に切り換え表示をするものであるのに対し、引用文献１には「バーコードに順番コードを付加してバーコードの生成を行う」ことが記載されてはいるものの、その「表示順序」に関しては記載がない点。
　
（３−４）判断
　以下に、上記相違点について検討する。
　
　＜相違点１について＞
　流通コードの表示に際し、該流通コードの意味することを理解できるようにするため、該流通コードに加えて、該流通コードの有する情報を示唆したり、流通コードの有する情報に更に新たな情報を与えたりする絵文字を表示することは、引用文献２等に示される如く従来より周知の表現手法である（なお、同様の表現手法は特開２００２−０１５２７４号公報（特に段落【００４８】）、特開２００１−２８３１１７号公報（特に段落【００３１】）、特開平０２−２８６３９８号公報等にも示されており、これらの文献からも該表現手法が周知であったと認められる。）から、引用文献１記載のものにおいてもこの表現手法を採用し、流通コードに加え「該流通コードデータと関連する絵文字データ」をも表示しようとすることは、当業者であれば容易に着想し得た事である。
　そして、ＣＲＴや液晶等の表示手段に情報を表示する際には、表示しようとする情報を記憶手段に記憶し、これを生成手段が取得するように構成するのが普通であるから、上記の如く流通コードに加え「該流通コードデータと関連する絵文字データ」をも表示する際には、「流通コードデータ及び該流通コードデータと関連する前記絵文字データ」を記憶手段に記憶し、これを生成手段が取得するように構成することは、当業者であれば当然に採用する構成に他ならない。
　
　＜相違点２について＞
　引用発明は「バーコードに順番コードを付加してバーコードの生成を行う」ことによって、「どのタイミングにバーコード読み取り装置２０で、読み取りを開始しても、読取ったバーコード情報から再構築し、順番どおりの情報を入手できるようになっている」（引用文献１第１８頁第１４行〜第１６行）のであるから、その表示順序としてどのようなものを採用しても特段の支障が生じるわけではなく、しかも、表示順序を「設定された」ものとすることで、格別な作用効果が奏されるものでもないので、引用文献１記載のものにおいて何らかの設定によって定められた順序（例えば「順番コード」で定まる順序等）を表示順序として採用することは、当業者が適宜に定め得た設計事項に過ぎないものである。
　
　してみると、上記相違点１、２に係る本件補正発明の構成は引用文献１記載の発明及び周知技術に基づいて、当業者が容易に想到し得たものである。
　そして、当該構成の採用によって奏される作用効果も、当業者であれば容易に予測し得る程度のものであって、格別顕著なものではない。
　よって、本件補正発明は、引用文献１に記載された発明及び周知技術に基づいて、当業者が容易に発明をすることができたものであるから、特許法第２９条第２項の規定により特許出願の際独立して特許を受けることができないものである。
　
（３−５）請求人の主張
　なお、請求人は審判請求書において、
「３．引用文献１の発明と本願発明との対比」として
「（１）しかしながら、引用文献１、２の発明と本願発明とでは以下の点が相違します。
　すなわち、引用文献１、２には、本願発明の特徴である「流通コードデータとこの流通コードデータに関連する絵文字データとから絵文字付流通コードデータを生成して、この絵文字付流通コードをスキャナ装置が読み取り可能に設定された時間間隔及び設定された表示順序において連続的に切り替え、表示装置上の固定位置に表示させる」点については一切開示されておりません。
（２）本願の００２９段落には、「絵文字画像としては、例えば、流通コードが映画チケットの情報を有している場合、その映画チケットと関連のある図３３（ａ）のような絵文字画像を表示させる。流通コードが映画チケットの情報を有している場合、その映画チケットと関連のある図３３（ａ）のような絵文字画像を表示させる。これによりユーザは映画の種類、上映劇場及び座席の場所等を流通コード情報を表示する際に知ることが出来る。同様に、流通コードが割引クーポンの情報を有している場合、その割引クーポンと関連のある図３３（ｂ）のような絵文字画像を表示させたり、流通コードが会社情報を有している場合、その会社と関連のある図３３（ｃ）のような絵文字画像を表示させる。」と記載されています。
　通常、バーコードは、これを見ただけでは、何を意味するバーコードであるのか、その内容を理解することは出来ません。特に、バーコードが連続して流れるように表示される本願発明においては、複数のバーコードがぐるぐる回転している如く表示されるので、見る者は、現在、どのようなバーコードが表示されているのか不安であり、誤操作を招く虞もあります。
　引用文献１の発明では、例えば、現在、携帯電話の画面に表示されている流通コードは、映画のチケットに関するものなのか、割引クーポンに関するものなのかが全く理解することができません。映画チケットの流通コードが表示されているものとしてスキャナ装置に読み取らせようとしたが、割引クーポンの流通コードが表示されていれば、スキャナ装置側では、その内容を読み取ることはできません。あるいは誤認識してしまうという事態を招く可能性もあります。
　また、読み取り不能、あるいは誤認識の原因が、間違った流通コードを読み取った結果なのか、流通コードは正しいものが表示されているが、スキャナ装置側の要因によって、流通コードを正確に読み取ることができなかったのか、という２点が考えられます。これでは、流通コードの使用者の不安感は一層増すこととなります。
　この点、本願発明では、流通コードと関連のある絵文字データを当該流通コードの先頭に付して表示させることにより、現在、流れている流通コードが何なのか、例えば、映画のチケットの流通コードなのか、割引クーポンの流通コードなのか等の区別が先頭の絵文字画像を見るだけで理解することができます。これによって、使用者の誤操作を未然に防止でき、使用者の不安感を払拭することができるという顕著なる効果を奏するのであります。
　（３）また、前述したように、本願発明において、「流通コードデータと関連する絵文字データ」というのは、流通コードデータと絵文字データとが一塊りのデータとして一体不可分の関係にあることを意味します。例えば、パスポートや写真付社員証、あるいはホログラム入りのクレジットカード等では、写真とデータとが一体不可分の関係にあり、一体不可分であることで初めてデータとしての価値があるというものであります。本願発明の流通コードデータと絵文字データとの関係もこれらパスポートや写真付社員証、あるいはホログラム入りのクレジットカード等と同様、一体不可分であることに価値があります。
　この一体不可分であることにより、データ伝送の段階において、あるいは情報通信端末におけるデータ表示段階において、写真や絵柄とバーコードとの関係の一貫性を保証することができ、これによって、パスポートや写真付社員証などと同様の効果を保証するものであります。
　引用文献２の例では、写真とバーコードとの一貫性は何もなく、一体不可分の関係にはありません。写真がバーコードの内容を保証する機能を有していません。
　（４）このように、引用文献２の顔写真データと、本願発明の絵文字付流通コードでは、その使用用途および使用可能性において全く異なるものであります。
　そして、仮に、引用文献１の発明と引用文献２の発明とを組み合わせたとしても、いわゆる動的に表示されるバーコードの横に顔写真データが固定的に表示させるだけの構成と成ってしまいます。本願発明のような「動的に表示されるバーコードのインデックスとなるような絵文字データをバーコードの先頭に付して、これを絵文字付き流通コードデータとして動的に表示させる」という構成は、引用文献１の発明と引用文献２の発明をどのように組み合わせたとしても想到することは不可能であります。」
と主張している。
　しかしながら、本件補正発明は、上記（３−１）においても記したように、本件補正後の【請求項１】として記載した通りのものと認められ、請求人が主張する如き「流通コードと関連のある絵文字データを当該流通コードの先頭に付して表示させる」ものとも、「動的に表示されるバーコードのインデックスとなるような絵文字データをバーコードの先頭に付して、これを絵文字付き流通コードデータとして動的に表示させる」ものとも、流通コードと絵文字データとが「一体不可分」のものとも認めることはできないものであるから、上記の主張は特許請求の範囲記載の事項に基づくものではなく失当である。
　さらに、引用文献２記載のものは「文字（２）、数字（３）、バーコード（４）によって同時にディスプレー（５）に表示し」（引用文献２段落【０００７】）、「携帯電話（１）をカードとして使用することが可能になる」（引用文献２段落【０００７】）ものであるから、この「文字（２）」、「数字（３）」と「バーコード（４）」とは「関連した」ものであると言える。また、引用文献２の「顔写真」も「データ」と共に表示され、「カード使用者が本人である旨を第三者が確認する」（引用文献２段落【０００９】）ことができるものであるから、これらも「関連した」ものである。従って、上記の「本願発明の絵文字付流通コードでは、その使用用途および使用可能性において全く異なるもので」あるとする上記主張も当を得ないものである。
　よって、これらの点を根拠に本件補正発明が特許法第２９条第２項の規定に違反するものではないとする請求人の主張を認めることはできない。
　
（３−６）むすび
　以上のとおり、本件補正は、特許法第１７条の２第５項で準用する同法第１２６条第５項の規定に違反するものであり、同法第１５９条１項で準用する同法第５３条１項の規定により却下されるべきものである。
　
３．本願発明について
（１）　本願発明
　平成１７年９月２６日付の手続補正は上記のとおり却下された。
　従って、本願の請求項１〜９に係る発明は、平成１７年６月１３日付手続補正書により補正された特許請求の範囲の請求項１〜９に記載された通りのものであるところ、その請求項１に係る発明（以下「本願発明」と言う。）は、上記２．（１）に本件補正前の【請求項１】として記載した通りのものである。
　
（２）　引用例
　原査定の拒絶の理由に引用された引用文献、及びその記載事項は、前記２．（２）に記載したとおりである。
　
（３）　対比・判断
　本願の請求項１に係る発明は、前記２．で検討した本件補正発明から「絵文字データ」の限定事項である「該流通コードデータと関連する」との構成を省いたものである。
　そうすると、本願の請求項１に係る発明の構成要件をすべて含み、さらに他の構成要件を付加したものに相当する本件補正発明が、前記２．（３−４）に記載したとおり、引用文献１に記載された発明及び周知技術に基づいて、当業者が容易に発明をすることができたものであるから、本願の請求項１に係る発明も同様の理由により、引用文献１に記載された発明及び周知技術に基づいて、当業者が容易に発明をすることができたものである。
　
（４）　むすび
　以上のとおり、本願請求項１に係る発明は、引用文献１に記載された発明及び周知技術に基づいて、当業者が容易に発明をすることができたものであるから、他の請求項について検討するまでもなく、本願は、特許法第２９条第２項の規定により特許を受けることができない。
　よって、結論のとおり審決する。